(57)【要約】【課題】本発明の目的は、ユーザが予め決めた構図を再現することの容易な電子カメラを提供することにある。【解決手段】本発明の電子カメラは、被写界の画像を取得する撮像部（１２）と、情報を表示する表示部（１７）とを備えた電子カメラ（１）において、本撮影に先立ち前記撮像部が予め取得したプレ画像の構図を認識する認識部（１３）と、本撮影に当たり、前記被写界の現在の構図と前記プレ画像の構図とのずれを示す情報を、前記表示部に表示する表示制御部（１３）とを備えたことを特徴とする。この情報を参考にしながら撮影者が電子カメラの撮影レンズの向きを変えれば、プレ画像の構図を再現することができる。【選択図】      図１
2006222690.tif 000002
【特許請求の範囲】
【請求項１】
被写界の画像を取得する撮像部と、情報を表示する表示部とを備えた電子カメラにおいて、
本撮影に先立ち前記撮像部が予め取得したプレ画像の構図を認識する認識部と、
本撮影に当たり、前記被写界の現在の構図と前記プレ画像の構図とのずれを示す情報を、前記表示部に表示する表示制御部と
を備えたことを特徴とする電子カメラ。
【請求項２】
請求項１に記載の電子カメラにおいて、
前記認識部は、
前記プレ画像中の被写体の輪郭を認識し、
前記表示制御部は、
前記輪郭のイメージを前記表示部に表示する
ことを特徴とする電子カメラ。
【請求項３】
請求項２に記載の電子カメラにおいて、
前記表示制御部は、
前記撮像部がリアルタイムで取得するスルー画像と前記輪郭のイメージとを重畳させて前記表示部に表示する
ことを特徴とする電子カメラ。
【請求項４】
請求項３に記載の電子カメラにおいて、
ユーザからの撮影の指示を受け付けるためのレリーズ釦を備え、
前記表示制御部は、
前記輪郭のイメージの表示中に前記レリーズ釦が半押しされると、その半押しの期間に限り前記輪郭のイメージの表示を中止する
ことを特徴とする電子カメラ。
【請求項５】
請求項１に記載の電子カメラにおいて、
前記認識部は、
前記プレ画像中の任意のパターンの座標を認識し、
前記表示制御部は、
前記プレ画像中の任意のパターンの座標と、前記撮像部がリアルタイムで取得するスルー画像中の前記パターンの座標とのずれベクトルのイメージを、前記表示部に表示する
ことを特徴とする電子カメラ。
【請求項６】
請求項５に記載の電子カメラにおいて、
前記表示制御部は、
前記スルー画像と前記ずれベクトルのイメージとを重畳させて前記表示部に表示する
ことを特徴とする電子カメラ。
【請求項７】
請求項５又は請求項６に記載の電子カメラにおいて、
前記ずれベクトルの長さが閾値以下になったときに、前記被写界の現在の構図が前記プレ画像の構図と一致した旨をユーザに通知する
ことを特徴とする電子カメラ。
【請求項８】
請求項５〜請求項７の何れか一項に記載の電子カメラにおいて、
前記ずれベクトルの長さが閾値以下になったときに、ユーザからの本撮影の指示を受け付ける
ことを特徴とする電子カメラ。
【発明の詳細な説明】
【技術分野】
【０００１】
本発明は、電子スチルカメラやビデオカメラなど、モニタを内蔵した電子カメラに関する。
【背景技術】
【０００２】
電子スチルカメラ（以下、単に「電子カメラ」という。）のユーザが外出先で自分を撮影をする際、三脚の用意が無い場合に、撮影代行者をたてることがある。
仮に、この電子カメラにシーンアシスト機能が搭載されていれば、電子カメラのモニタ上に、人物や風景を配置するのに適した位置（電子カメラの推奨位置）を表示させることができるので、撮影代行者が構図決めに失敗する可能性は低くなる。因みに、このシーンアシスト機能の詳細は、特許文献１などに開示されている。
【特許文献１】特開２００４−２４７８６９号公報
【発明の開示】
【発明が解決しようとする課題】
【０００３】
しかし、ユーザの意図する構図は、電子カメラが推奨するものと同じであるとは限らない。その場合、ユーザは、自分の意図した構図を撮影代行者に説明する必要があるが、口頭では意図が十分に伝わらないことが多い。
そこで本発明の目的は、ユーザが予め決めた構図を再現することの容易な電子カメラを提供することにある。
【課題を解決するための手段】
【０００４】
請求項１に記載の電子カメラは、被写界の画像を取得する撮像部と、情報を表示する表示部とを備えた電子カメラにおいて、本撮影に先立ち前記撮像部が予め取得したプレ画像の構図を認識する認識部と、本撮影に当たり、前記被写界の現在の構図と前記プレ画像の構図とのずれを示す情報を、前記表示部に表示する表示制御部とを備えたことを特徴とする。
【０００５】
請求項２に記載の電子カメラは、請求項１に記載の電子カメラにおいて、前記認識部は、
前記プレ画像中の被写体の輪郭を認識し、前記表示制御部は、前記輪郭のイメージを前記表示部に表示することを特徴とする。
請求項３に記載の電子カメラは、請求項２に記載の電子カメラにおいて、前記表示制御部は、前記撮像部がリアルタイムで取得するスルー画像と前記輪郭のイメージとを重畳させて前記表示部に表示することを特徴とする。
【０００６】
請求項４に記載の電子カメラは、請求項３に記載の電子カメラにおいて、ユーザからの撮影の指示を受け付けるためのレリーズ釦を備え、前記表示制御部は、前記輪郭のイメージの表示中に前記レリーズ釦が半押しされると、その半押しの期間に限り前記輪郭のイメージの表示を中止することを特徴とする。
請求項５に記載の電子カメラは、請求項１に記載の電子カメラにおいて、前記認識部は、前記プレ画像中の任意のパターンの座標を認識し、前記表示制御部は、前記プレ画像中の任意のパターンの座標と、前記撮像部がリアルタイムで取得するスルー画像中の前記パターンの座標とのずれベクトルのイメージを、前記表示部に表示することを特徴とする。
【０００７】
請求項６に記載の電子カメラは、請求項５に記載の電子カメラにおいて、前記表示制御部は、前記スルー画像と前記ずれベクトルのイメージとを重畳させて前記表示部に表示することを特徴とする。
請求項７に記載の電子カメラは、請求項５又は請求項６に記載の電子カメラにおいて、前記ずれベクトルの長さが閾値以下になったときに、前記被写界の現在の構図が前記プレ画像の構図と一致した旨をユーザに通知することを特徴とする。
【０００８】
請求項８に記載の電子カメラは、請求項５〜請求項７の何れか一項に記載の電子カメラにおいて、前記ずれベクトルの長さが閾値以下になったときに、ユーザからの本撮影の指示を受け付けることを特徴とする。
【発明の効果】
【０００９】
本発明によれば、ユーザが予め決めた構図を再現することの容易な電子カメラが実現する。
【発明を実施するための最良の形態】
【００１０】
［第１実施形態］
以下、図１、図２、図３、図４、図５、図６を参照して本発明の第１実施形態を説明する。
本実施形態は、電子カメラ（電子スチルカメラ）の実施形態である。
図１は、本電子カメラの構成を示すブロック図である。
【００１１】
図１に示すように、電子カメラ１には、撮影レンズ１１、撮像部１２、ディジタル信号処理回路１３、バッファメモリ１５、制御回路１６、モニタ１７、レリーズ釦１８、操作釦１９などが備えられる。このうち、モニタ１７が請求項の表示部に対応し、ディジタル信号処理回路１３が、請求項の認識部及び表示制御部に対応する。
また、電子カメラ１には、可搬のカード型メモリ１４が装着されている。モニタ１７は、例えば、電子カメラ１の背面側（反被写界側）に設けられている。
【００１２】
撮像部１２は、レンズ駆動機構、絞り、シャッタ機構、ＣＣＤ撮像素子、Ａ／Ｄ変換回路などからなり、撮影レンズ１１が結像した被写界（撮影レンズ１１の視野）の像を示す画像（ディジタル画像信号）を取得し、ディジタル信号処理回路１３へ送出する。
撮像部１２によって取得される画像には、保存する必要のある「保存用画像」の他に、保存される必要のない「スルー画像」がある。保存用画像は、データ量の多い１フレームの画像である。スルー画像は、データ量が少ない連続した複数フレームの画像であって、電子カメラ１の現在の被写界をリアルタイムで表す画像である。
【００１３】
ディジタル信号処理回路１３は、保存用画像をカード型メモリ１４へ格納したり、スルー画像をモニタ１７へ表示したり、カード型メモリ１４に格納された保存用画像を読み出してモニタ１７へ再生表示したりする働きをする。
カード型メモリ１４に格納される保存用画像には、予め決められた方式で圧縮処理が施される。また、その保存用画像には、必要に応じて色変換処理や階調変換処理などの処理も施される。
【００１４】
モニタ１７に表示されるスルー画像及び保存用画像は、モニタ１７に適した形式に変換される。特に、カード型メモリ１４に格納されていた保存用画像がモニタ１７へ表示される際には、伸張処理が施される。
これら各種の処理は、何れもディジタル信号処理回路１３によって行われる。また、ディジタル信号処理回路１３は、その他に、モニタ１７に対しスルー画像や保存用画像以外の情報を表示するための各処理も行う。バッファメモリ１５は、処理の対象となる画像を一時的に格納する役割をする。
【００１５】
以上の各部は、制御回路１６によって制御される。制御回路１６は、レリーズ釦１８、操作釦１９を介してユーザから与えられる指示に従ってその制御を行う。
ユーザは、レリーズ釦１８を操作することによって、撮影の指示、合焦の指示などを電子カメラ１に与えることができる。「撮影」は、保存用画像を取得してカード型メモリ１４へ格納することを指し、「合焦」は、スルー画像のコントラストなどに応じて撮影レンズ１１を最適な位置に移動させることを指す。
【００１６】
また、ユーザは、操作釦１９を操作することによって、電子カメラ１を各種のモードに設定することができる。電子カメラ１のモードには、撮影モード、再生モードなどがある。「撮影モード」は、モニタ１７にスルー画像が表示されると共に、ユーザの所望するタイミングで撮影が行われるモードである。「再生モード」は、カード型メモリ１４に格納された保存用画像のうち、ユーザの所望するものがモニタ１７に再生表示されるモードである。
【００１７】
ここで、本電子カメラ１においては、「撮像モード」の下位のモードの１つとして、「記念撮影モード（構図再現モード）」が予め用意されている。
例えば、図２に示すように、本電子カメラ１のメニューの中には、「記念撮影モード」の項目が予め登録されている。ユーザは、操作釦１９を操作して電子カメラ１のモニタ１７にメニュー表示をさせ、操作釦１９をさらに操作して、「記念撮影モード」の項目を選択すれば、電子カメラ１を「記念撮影モード」に設定することがことができる。
【００１８】
その設定後、電子カメラ１のモニタ１７には、設定中のモードが「記念撮影モード」である旨を示すアイコンが表示される。このアイコンは、例えば、図３に符号Ｅで示すとおりである。図３において符号Ｉｓはスルー画像である。
図４は、記念撮影モード時の電子カメラ１の動作フローチャートである。
先ず、ユーザ側から見たこのモードの概要を述べると、＜構図を決定するためのプレ撮影＞→＜構図再現のためのアシスト＞→＜本撮影＞である。図４のステップＳ１１〜Ｓ１７がプレ撮影に関するステップであり、ステップＳ１８がアシストに関するステップであり、ステップＳ１９〜Ｓ２３が本撮影に関するステップである。以下、順に説明する。
【００１９】
最初に、電子カメラ１は、スルー画像の取得を開始し、モニタ１７にスルー画像とアイコンＥとを表示する（ステップＳ１１）。
ユーザは、このモニタ１７を目視しながら撮影レンズ１１の向きを変化させて所望の構図を探し、構図が定まった時点で、レリーズ釦１８を操作する。なお、このときにユーザが目視するのは、モニタ１７ではなく不図示の光学ファインダであってもよい。
【００２０】
その後、レリーズ釦１８が半押しされると（ステップＳ１２ＹＥＳ）、合焦が行われ（ステップＳ１３）、レリーズ釦１８が全押しされると（ステップＳ１４ＹＥＳ）、プレ撮影が行われる（ステップＳ１５）。
プレ撮影では、撮像部１２は、データ量の多い画像を１フレーム分だけ取得する。その画像（プレ画像）は、バッファメモリ１５に格納される。また、モニタ１７には、スルー画像に代えて、そのプレ画像が表示される（ステップＳ１６）。
【００２１】
また、モニタ１７上には、例えば、図５（ａ）に示すように、プレ画像Ｉｐと共に、その構図がＯＫであるか否かをユーザに問うための情報（ここでは、「ＯＫ」，「ＮＯ」の文字情報とする。）も表示される。
ユーザは、モニタ１７に表示されたプレ画像を見ながら操作釦１９を操作し、プレ画像の構図が気に入れば「ＯＫ」を選択し、プレ画像の構図が気に入らなければ「ＮＯ」を選択する。「ＯＫ」を選択した場合、ユーザは、本撮影をするべく撮影代行者に電子カメラ１を預ければよい。「ＮＯ」を選択した場合、ユーザはプレ撮影を再度行うことになる。
【００２２】
電子カメラ１は、「ＯＫ」が選択されると（ステップＳ１７ＹＥＳ）、次のステップＳ１８へ進み、「ＮＯ」が選択されると（ステップＳ１７ＮＯ）、ステップＳ１１へ戻ってプレ撮影のための処理（ステップＳ１１〜Ｓ１７）を実行する。
ステップＳ１８では、先ず、ディジタル信号処理回路１３は、バッファメモリ１５に格納されたプレ画像を参照し、そのプレ画像に写っている被写体の輪郭線を抽出する（ステップＳ１８１）。
【００２３】
輪郭線の抽出には、公知の何れかの手法が適用される。例えば、閾値を用いてプレ画像を二値化処理するだけでもこれを行うことができる。図５（ｂ）に示すようなプレ画像Ｉｐからは、図５（ｃ）に示すような輪郭線Ｉｐ’が抽出される。この輪郭線Ｉｐ’は、プレ画像Ｉｐの構図を示している。
また、撮像部１２は、ステップＳ１８においてスルー画像の取得を再開する。ディジタル信号処理回路１３は、輪郭線Ｉｐ’のイメージを作成すると共に、撮像部１２が取得したスルー画像Ｉｓに、輪郭線Ｉｐ’のイメージを重畳させてモニタ１７に表示する（ステップＳ１８３，Ｓ１８４）。
【００２４】
ここで、輪郭線Ｉｐ’のイメージは、輪郭線Ｉｐ’と全く同じパターンでもよいが、輪郭線Ｉｐ’の存在を強調するために、輪郭線Ｉｐ’を太線化したものであってもよい。図６には、スルー画像Ｉｓ上に輪郭線のイメージＩｐ”が重畳された様子を示した。
このとき、スルー画像Ｉｓの構図がプレ画像の構図とずれていれば、スルー画像Ｉｓに写っている被写体の輪郭と輪郭線のイメージＩｐ”とには、ずれが生じる。よって、撮影代行者は、スルー画像Ｉｓの構図とプレ画像の構図とのずれを、直感的に認識することができる。
【００２５】
なお、ディジタル信号処理回路１３は、輪郭線のイメージＩｐ”をスルー画像Ｉｓに重畳させるに当たり、スルー画像Ｉｓの全体の輝度平均値を参照し、その輝度平均値が閾値よりも高ければ（ステップＳ１８２ＹＥＳ）、輪郭線のイメージＩｐ”を黒色で表示し（ステップＳ１８３）、その輝度平均値が閾値よりも低ければ（ステップＳ１８２ＮＯ）、輪郭線のイメージＩｐ”を赤色で表示する（ステップＳ１８４）。よって、スルー画像Ｉｓが明るい場合にも暗い場合にも、輪郭線のイメージＩｐ”の視認性は保たれる。
【００２６】
撮影代行者は、この状態のモニタ１７を目視しながら撮影レンズ１１の向きを変化させ、輪郭線のイメージＩｐ”に、スルー画像Ｉｓに写っている被写体の輪郭が重なるような構図を探す。輪郭線のイメージＩｐ”に被写体の輪郭が重なれば、スルー画像Ｉｓの構図とプレ画像の構図とのずれが無くなり、プレ画像の構図が再現される。
撮影代行者は、プレ画像の構図が再現された時点で、本撮影をするべくレリーズ釦１８を操作すればよい。
【００２７】
レリーズ釦１８が半押しされると（ステップＳ１９ＹＥＳ）、電子カメラ１は合焦の動作を行う（ステップＳ２０）。
また、この半押しの期間に限り、ディジタル信号処理回路１３は、輪郭線のイメージＩｐ”の表示を停止する（ステップＳ２１）。
よって、撮影代行者は、スルー画像Ｉｓだけを目視して合焦状態を確認することができる。その確認後、本撮影をする意志が無ければ、撮影代行者は、レリーズ釦１８の半押しを解除すればよい。
【００２８】
レリーズ釦１８の半押しが解除されると（ステップＳ１９ＮＯ）、電子カメラ１はステップＳ１８１に戻り、輪郭線のイメージＩｐ”の表示を開始する。
つまり、撮影代行者は、レリーズ釦１８の半押し／解除の操作をするだけで、輪郭線のイメージＩｐ”の非表示／表示の指示を電子カメラ１に与えることができる。
また、撮影代行者は、本撮影をする意志があれば、レリーズ釦１８の半押しに続いてレリーズ釦１８を全押しすればよい。
【００２９】
レリーズ釦１８が全押しされると（ステップＳ２２ＹＥＳ）、電子カメラ１は本撮影を行う（ステップＳ２３）。
本撮影では、撮像部１２は、データ量の多い画像を１フレーム分だけ取得する。その画像（保存用画像）は、カード型メモリ１４に格納される。
以上、本実施形態では、ステップＳ１８においてプレ画像の構図を示す輪郭線のイメージＩｐ”がモニタ１７に表示されるので、撮影代行者は、その表示に促されて、プレ画像の構図を容易に再現することができる。
【００３０】
したがって、本実施形態の電子カメラ１によれば、撮影代行者であっても、ユーザが予め決めた構図通りの撮影をすることが可能である。
なお、本実施形態のステップＳ１８２，Ｓ１８３，Ｓ１８４では、輪郭線のイメージＩｐ”の視認性を保つために、スルー画像Ｉｓの明るさに応じて輪郭線のイメージＩｐ”の色を変更したが、その代わりに、そのイメージＩｐ”を、イメージＩｐ”と相反する色で縁取りしてもよい。
【００３１】
また、本実施形態では、輪郭線のイメージＩｐ”の表示先が、電子カメラ１の背面側に設けられたモニタ１７となっているが、不図示の光学ファインダ内にイメージを表示するモニタが設けられている場合には、輪郭線のイメージＩｐ”の表示先を、光学ファインダ内のモニタとしてもよい。
［第２実施形態］
以下、図７、図８を参照して本発明の第２実施形態を説明する。
【００３２】
本実施形態は、電子カメラの実施形態である。ここでは、第１実施形態との相違点のみ説明する。
図７は、本実施形態の記念撮影モード時の電子カメラ１の動作フローチャートである。図７において、図４に示すステップと同じものには同じ符号を付した。第１実施形態との相違点は、主に、アシストに関するステップ（ステップＳ２８）にある。
【００３３】
ステップＳ２８では、先ず、ディジタル信号処理回路１３は、バッファメモリ１５に格納されたプレ画像を参照し、そのプレ画像の特徴パターンを抽出し、その特徴パターンのプレ画像上の座標を認識する（ステップＳ２８１）。
この特徴パターンは任意であるが、プレ画像に写っている被写体の矩形部分など、少なくとも、プレ画像中の他のパターンと区別できるようなパターンである。
【００３４】
次に、撮像部１２は、スルー画像の取得を開始する。ディジタル信号処理回路１３は、取得されたスルー画像から、前述した特徴パターンと同じ特徴パターンを探索し、その特徴パターンのスルー画像上の座標を認識する（ステップＳ２８２）。この特徴パターンの探索には、公知のパターン認識の技術を適用することができる。
次に、ディジタル信号処理回路１３は、プレ画像上の特徴パターンの座標を基準とした、スルー画像上の特徴パターンの座標の変位（ずれベクトル）を算出する（ステップＳ２８３）。このずれベクトルは、スルー画像の構図の縦横方向のずれ（プレ画像の構図を基準としたずれ量及びずれ方向）を表す二次元のベクトルである。
【００３５】
ディジタル信号処理回路１３は、そのずれベクトルのイメージ（矢印マーク）を作成し、撮像部１２が取得したスルー画像に、そのずれベクトルのイメージを重畳してモニタ１７に表示する（ステップＳ２８４）。このときのモニタ１７の様子は、例えば、図８（ａ）に示すとおりである。図８（ａ）において、符号Ｉｓで示すのが、スルー画像であり、符号Ｂで示すのがずれベクトルのイメージである。なお、図８（ａ）では、ベクトルのイメージＢの表示先がモニタ１７の中央部となっているが、端部であってもよい。
【００３６】
このとき、スルー画像Ｉｓの構図がプレ画像の構図とずれていれば、そのずれ量及びずれ方向に応じた長さ及び方向のずれベクトルのイメージＢが表示される。よって、撮影代行者は、スルー画像Ｉｓの構図とプレ画像の構図とのずれを、直感的に認識することができる。
撮影代行者は、ずれベクトルのイメージＢに従い、そのずれベクトルのイメージＢが指し示す方向に、撮影レンズ１１の向きを変化させればよい。
【００３７】
さらに、ディジタル信号処理回路１３は、算出したずれベクトルの長さを閾値と比較し（ステップＳ２８５）、閾値よりも大きいとき（ステップＳ２８５ＮＯ）には、ステップＳ２８２に戻り、ずれベクトルの算出及びずれベクトルのイメージＢの表示（ステップＳ２８２，Ｓ２８３，Ｓ２８４）を繰り返す。
したがって、撮影代行者が、例えば、図８（ａ）に示すずれベクトルのイメージＢに促されて左上方向に撮影レンズ１１の向きを少しだけ変化させると、スルー画像Ｉｓの構図がプレ画像の構図に近づき、ずれベクトルの長さが短くなるので、図８（ｂ）に示すように、ずれベクトルのイメージＢの長さも短くなる。
【００３８】
また、撮影代行者が、例えば、図８（ａ）に示すずれベクトルのイメージＢに促されて左上方向に撮影レンズ１１の向きを大幅に変化させると、スルー画像Ｉｓの構図がプレ画像の構図に近づいた後に再び離れ、ずれベクトルが反転するので、図８（ｃ）に示すように、ずれベクトルのイメージＢも反転する。
なお、以上のずれベクトルの算出及びずれベクトルのイメージＢの表示（ステップＳ２８２，Ｓ２８３，Ｓ２８４）は、スルー画像の構図とプレ画像の構図とのずれをリアルタイムで表示できるように、十分に速い速度で行われる。
【００３９】
そして、ディジタル信号処理回路１３は、ずれベクトルの長さが閾値よりも短くなると（ステップＳ２８５ＹＥＳ）、スルー画像の構図とプレ画像の構図とのずれをゼロとみなし（プレ画像の構図が再現されたとみなし）、その旨を示す表示（ＯＫ表示）を、例えば、図８（ｄ）に示すようにモニタ１７上にする。図８（ｄ）では、円形のマークＬをモニタ１７上に表示したときの様子を示した。
【００４０】
撮影代行者は、このＯＫ表示（円形のマークＬ）を確認した後に、レリーズ釦１８を操作して電子カメラ１に対し本撮影をさせればよい。
レリーズ釦１８が半押しされると（ステップＳ１９ＹＥＳ）、電子カメラ１は合焦の動作を行う（ステップＳ２０）。
レリーズ釦１８の半押しが解除されると（ステップＳ１９ＮＯ）、電子カメラ１はステップＳ２８２に戻り、ずれベクトルの算出及びずれベクトルのイメージＢの表示を行う。
【００４１】
レリーズ釦１８の半押しに続いてレリーズ釦１８が全押しされると（ステップＳ２２ＹＥＳ）、電子カメラ１は本撮影を行う（ステップＳ２３）。
本撮影では、撮像部１２は、データ量の多い画像を１フレーム分だけ取得する。その画像（保存用画像）は、カード型メモリ１４に格納される。
以上、本実施形態では、ステップＳ２８においてプレ画像の構図とスルー画像の構図とのずれを示すイメージＢがモニタ１７に表示されるので、撮影代行者は、その表示に促されて、プレ画像の構図を容易に再現することができる。
【００４２】
また、本実施形態では、ステップＳ２８６においてＯＫ表示がなされるので、プレ画像の構図が再現されたか否かを、撮影代行者が確実に認識することができる。
また、本実施形態では、プレ画像の構図が再現されなければ本撮影に移行しないので、ユーザが予め決めた構図通りの撮影が、確実に行われる。
なお、本実施形態のステップＳ２８４においては、モニタ１７に表示されるずれベクトルのイメージＢの長さを、算出されたずれベクトルの長さと完全に一致させる必要は無い。例えば、ずれベクトルを強調して表現するために、イメージＢの長さを、ずれベクトルの実際の長さに１以上の比例定数を乗算したものとしてもよい。
【００４３】
また、図８（ａ），（ｂ），（ｃ）では、ずれベクトルの長さに応じてイメージＢのサイズが変化しているが、ずれベクトルの長さに応じてイメージＢの長さのみ変化させてもよいことは言うまでもない。
また、本実施形態のステップＳ２８６においては、ＯＫ表示に円形のマークＬ（図８（ｄ）参照）を用いたが、他の形状のマークを用いてもよいことは言うまでもない。また、モニタ１７上にマークを表示する代わりに、電子カメラ１の何れかの箇所に設けられたランプを点灯させてもよい。なお、このランプを電子カメラ１の前面側（被写界側）に設ければ、ユーザ自身が電子カメラ１を持って自分撮りをするときにも、この記念撮影モードを利用することができる。
【００４４】
また、本実施形態においては、ずれベクトルのイメージＢの視認性を保つために、イメージＢの表示色を、スルー画像Ｉｓの明るさに応じて変化させてもよい。また、表示色を変化させる代わりに、イメージＢを、イメージＢと相反する色で縁取りしてもよい。
また、本実施形態のステップＳ２８１、Ｓ２８２において特徴パターンを抽出又は探索する際には、プレ画像又はスルー画像を閾値で二値化してもよい。二値化された画像は単純なので、抽出又は探索が容易になると考えられる。
【００４５】
また、本実施形態を次のとおり変形してもよい。すなわち、ステップＳ１５の後段に、プレ撮影時の撮影レンズ１１のズーム位置を記憶するステップを追加すると共に、ステップＳ１７の後段に、そのズーム位置を再現・固定するステップを追加する。これによって、プレ画像の画角が保たれるので、プレ画像の構図を、より確実に再現することが可能になる。
【００４６】
また、本実施形態を次のとおり変形してもよい。すなわち、ステップＳ２８３において、特徴パターンの座標の変位を求めると共に、特徴パターンのサイズ変化を求める。また、特徴パターンの座標の変位及びサイズ変化から、三次元のずれベクトルを算出する。ここで、三次元のずれベクトルとは、スルー画像の構図の縦横方向及び奥行き方向のずれ（プレ画像の構図を基準としたずれ量及びずれ方向）を表すものである。そして、それ以降の各ステップにおいては、前述した二次元のずれベクトルの代わりに、この三次元のずれベクトルを用いる。この三次元のずれベクトルは、スルー画像の構図とプレ画像の構図とのずれを、より的確に表現する。したがって、プレ画像の構図を、より的確に再現することが可能になる。
【００４７】
なお、この変形例においては、特徴パターンのサイズの変化を求める代わりに、複数の特徴点の位置関係の変化を変化を求めてもよい。
また、本実施形態においては、ＯＫ表示（ステップＳ２８６）の後の本撮影のタイミングが、撮影代行者の意図したタイミング（ステップＳ２２ＹＥＳのタイミング）であるが、本撮影のタイミングは、ＯＫ表示の直後であってもよい。但し、撮影代行者の意図したタイミングである方が、手ブレを防ぐことができるので好ましい。
【００４８】
また、本実施形態では、ずれベクトルのイメージＢの表示先が、電子カメラ１の背面側に設けられたモニタ１７となっているが、不図示の光学ファインダ内にイメージを表示するモニタが設けられている場合には、ずれベクトルのイメージＢの表示先を、光学ファインダ内のモニタとしてもよい。
また、本実施形態においては、ずれベクトルのイメージＢの代わりに、ずれベクトルを表す数値を表示してもよい。但し、イメージＢの方が、構図のずれを撮影代行者に対し直感的に理解させることができるので、望ましい。
【００４９】
［その他］
なお、上述した第１実施形態と第２実施形態とを組み合わせてもよい。例えば、第２実施形態において、ずれベクトルのイメージＢの代わりに輪郭線のイメージＩｐ”を表示してもよい。
また、上述した各実施形態は、電子カメラ（電子スチルカメラ）の実施形態であるが、ビデオカメラにも同様に、本発明を適用することができる。
【図面の簡単な説明】
【００５０】
【図１】電子カメラの構成を示すブロック図である。
【図２】モード設定の様子を示す図である。
【図３】記念撮影モードを示すアイコンの例を示す図である。
【図４】第１実施形態の記念撮影モード時の電子カメラ１の動作フローチャートである。
【図５】第１実施形態の記念撮影モードを説明する図である。
【図６】スルー画像Ｉｓ上に輪郭線のイメージＩｐ”が重畳した様子を示す図である。
【図７】第２実施形態の記念撮影モード時の電子カメラ１の動作フローチャートである。
【図８】第２実施形態のモニタ１７の様子を示す図である。
【符号の説明】
【００５１】
１  電子カメラ
１１  撮影レンズ
１２  撮像部
１３  ディジタル信号処理回路
１４  カード型メモリ
１５  バッファメモリ
１７  モニタ
１８  レリーズ釦
１９  操作釦
【図１】
2006222690.tif 000003
【図２】
2006222690.tif 000004
【図３】
2006222690.tif 000005
【図４】
2006222690.tif 000006
【図５】
2006222690.tif 000007
【図６】
2006222690.tif 000008
【図７】
2006222690.tif 000009
【図８】
2006222690.tif 000010